(57)【要約】【課題】インジケータの死角を少なく抑えつつ、落下等による損傷を防止できる医療用ポータブルディスプレイを提供すること。【解決手段】ポータブルディスプレイ４００には、ディスプレイ本体４１０とインジケータ４２０を一体的にガードするガード部材４３１、４３２が設けられ、このガード部材４３１、４３２は、ポータブルディスプレイ４００の任意の方向から当接する平面に対して、必ずガード部材４３１、４３２が当接し、ディスプレイ本体４１０及びインジケータ４２０の両方が前記平面から引っ込む関係となるように形成されており、かつ、インジケータ４２０の側面に対応する位置にはインジケータ４２０を露出させるための窓４４０が形成されている。【選択図】図１
2014161685.tif 000002
【特許請求の範囲】
【請求項１】
医療用のポータブルディスプレイであって、
板状のディスプレイ本体と、
前記ディスプレイ本体の上部に設けられたインジケータと、
少なくとも前記ディスプレイ本体の４隅に設けられ、前記ディスプレイ本体と前記インジケータを一体的にガードするガード部材と、
を有し、
前記ガード部材は、
前記医療用ポータブルディスプレイの任意の方向から当接する平面に対して、必ず前記ガード部材が当接し、前記ディスプレイ本体及び前記インジケータの両方が前記平面から引っ込む関係となるように形成されており、
かつ、前記インジケータの側面に対応する位置には前記インジケータを露出させるための窓が形成されている、
医療用ポータブルディスプレイ。
【請求項２】
前記インジケータは暖色系の色であり、前記ガード部材は寒色系の色である、
請求項１に記載の医療用ポータブルディスプレイ。
【請求項３】
前記インジケータは、前記ディスプレイ本体の上部において、前記ディスプレイ本体の全幅をカバーするように配置されている、
請求項１又は請求項２に記載の医療用ポータブルディスプレイ。
【請求項４】
請求項１に記載の医療用ポータブルディスプレイと、
前記ポータブルディスプレイがドッキング可能とされ、かつ前記ポータブルディスプレイよりも幅狭のキャリアと、
を具備するドッキングシステム。
【発明の詳細な説明】
【技術分野】
【０００１】
本発明は、例えば医療用ポータブルモニタシステムに用いられるポータブルディスプレイ及びドッキングシステムに関する。
【背景技術】
【０００２】
病院などの医療現場においては、一人一人の患者の生体情報（例えば、心電図、血圧、呼吸回数、脈拍など）を、随時、収集したり、分析したり、表示したりすることが必要となる。また、患者は、病室、検査室、手術室などを移送されることになるので、その患者の生体情報の収集も患者の移動と一緒に行う必要がある。そこで、ポータブルディスプレイ、データ記憶装置、及び、各種医療機器との通信が可能なインターフェースなどを備えた小型の医療用ポータブルモニタシステム（例えば特許文献１、２参照）が広く用いられている。
【０００３】
このようなポータブルモニタシステムを用いれば、移送中の患者の生体情報も途切れなく記録したり表示したりすることができる。
【０００４】
また、医療用ポータブルモニタシステムにおいては、システムを構成する各装置がドッキング及び取り外し可能に構成されており、これにより、状況に応じて、必要な装置のみを持ち運ぶことができるようになっている。
【０００５】
また、患者の生体情報を表示する医療用ディスプレイにおいては、一般に、患者の生体情報に基づいて患者の容体が危険になったことが検知されたときに、このことを知らせる警報手段が搭載されている。この警報手段としては、表示画面上に警報を表す赤色や黄色などの色を表示することで警報を行うもの（例えば特許文献３参照）や、ディスプレイ本体の上部に赤色などで点灯又は点滅するインジケータを設けることで警報を行うもの（例えば特許文献４参照）、音声により警報を行うもの、などがある。
【先行技術文献】
【特許文献】
【０００６】
【特許文献１】特表平８−５０４３４５号公報
【特許文献２】特表平８−５０４５３１号公報
【特許文献３】特開２００８−２００１１１号公報
【特許文献４】特表２００８−５３１２０９号公報
【発明の概要】
【発明が解決しようとする課題】
【０００７】
上述した医療用ディスプレイの警報手段のうち、ディスプレイ本体の上部に赤色などで点灯又は点滅するインジケータを設けることで警報を行うものは、表示画面上に警報を表示するものと比較して、表示画面を見ていない或いは見ることができない医療スタッフであっても警報に気がつくことができるので、非常に有効である。
【０００８】
一方で、上述したような医療用ポータブルモニタシステムに用いられるポータブルディスプレイは、様々な場所に持ち歩いて運んだり、様々な機器にドッキングさせる機会が多いので、誤って落としてしまうことが考えられる。現実的に、医療用ポータブルディスプレイの重量は２ｋｇ程度ある。このような重量の大きい電子機器を落下させてしまうと、当然のことながら破損の可能性が高い。従って、医療用ポータブルディスプレイでは、落下時の破損を防止するガードを設けることが好ましい。
【０００９】
しかしながら、従来、医療用ポータブルディスプレイの本体に、上述のインジケータ及びガードの両方を設けようとした場合において、どのようにインジケータ及びガードを設ければよいかについては、十分な検討がなされていなかった。例えば、不用意にガードを設けてしまうとインジケータが隠れてしまうといった不都合が生じる。
【００１０】
本発明は、以上の点を考慮してなされたものであり、インジケータの死角を少なく抑えつつ、落下等による損傷を防止できる医療用ポータブルディスプレイ及びドッキングシステムを提供する。
【課題を解決するための手段】
【００１１】
本発明の医療用ポータブルディスプレイの一つの態様は、
医療用のポータブルディスプレイであって、
板状のディスプレイ本体と、
前記ディスプレイ本体の上部に設けられたインジケータと、
少なくとも前記ディスプレイ本体の４隅に設けられ、前記ディスプレイ本体と前記インジケータを一体的にガードするガード部材と、
を有し、
前記ガード部材は、
前記医療用ポータブルディスプレイの任意の方向から当接する平面に対して、必ず前記ガード部材が当接し、前記ディスプレイ本体及び前記インジケータの両方が前記平面から引っ込む関係となるように形成されており、
かつ、前記インジケータの側面に対応する位置には前記インジケータを露出させるための窓が形成されている。
【発明の効果】
【００１２】
本発明によれば、インジケータの死角を少なく抑えつつ、落下等による損傷を防止できるようになる。
【図面の簡単な説明】
【００１３】
【図１】実施の形態に係る医療用ポータブルモニタシステムの全体構成を示す斜視図
【図２】一体とされた医療用ポータブルモニタシステムを前面斜め方向から見た斜視図
【図３】一体とされた医療用ポータブルモニタシステムを背面斜め方向から見た斜視図
【図４】キャリアを下面斜め方向から見た斜視図
【図５】ポータブルディスプレイを背面斜め方向から見た斜視図
【図６】窓の説明に供するガード部材の部分的断面図
【図７】他の実施の形態のポータブルディスプレイを示す斜視図
【発明を実施するための形態】
【００１４】
以下、本発明の実施の形態について、図面を参照して詳細に説明する。
【００１５】
＜医療用ポータブルモニタシステムの全体構成＞
図１は、本発明の実施の形態に係る医療用ポータブルモニタシステムの全体構成を示す分解斜視図である。
【００１６】
医療用ポータブルモニタシステム１は、ベースユニット１００と、バッテリ付きキャリア（以下、単にキャリアと呼ぶ）２００と、インプットボックス３００と、ポータブルディスプレイ４００と、から構成される。ベースユニット１００はキャリア２００とドッキング可能とされ、キャリア２００はインプットボックス３００及びポータブルディスプレイ４００とドッキング可能とされている。これにより、医療用ポータブルモニタシステム１は、ベースユニット１００、キャリア２００、インプットボックス３００及びポータブルディスプレイ４００が一体となることが可能である。
【００１７】
図２及び図３に、全てのユニットがドッキングして一体となったときの様子を示す。図２は、一体とされた医療用ポータブルモニタシステム１を前面斜め方向から見た斜視図であり、図３は、一体とされた医療用ポータブルモニタシステム１を背面斜め方向から見た斜視図である。
【００１８】
ベースユニット１００は、ＡＣコンバータなどからなる電源ユニットや、バッテリ及び各種の入出力端子などを有する。また、ベースユニット１００の上面には、コネクタ部１１０及びロック部１３０が設けられている。このコネクタ部１１０及びロック部１３０は、図４に示すような、キャリア２００の下面に設けられた、コネクタ部２１０及びロック部２３０に係合する。因みに、ベースユニット１００のコネクタ部１１０は、コネクタ（図示せず）が開閉自在のシャッタ１１１、１１２によって覆われており、このシャッタ１１１、１１２は、キャリア２００がベースユニット１００にドッキングされる際にキャリア２００の下面に設けられた突起２１１、２１２によって開状態とされるようになっている。
【００１９】
キャリア２００は、バッテリを内蔵する。キャリア２００は、インプットボックス３００及びポータブルディスプレイ４００とドッキングしたときに、インプットボックス３００及びポータブルディスプレイ４００に電源を供給する。キャリア２００とポータブルディスプレイ４００のドッキングは、図５に示すように、ポータブルディスプレイ４００の背面に突設された差込部４０２を、キャリア２００に形成された差込口２１０に、キャリア２００の上方から挿し込むことで行われる。キャリア２００とインプットボックス３００のドッキングは、キャリア２００の側方からインプットボックス３００を差し込み、スライドさせることにより行われる。
【００２０】
キャリア２００には取っ手２０１が設けられており、ユーザは取っ手２０１を握ってキャリア２００を持ち運ぶことができる。通常、ユーザは、キャリア２００にインプットボックス３００をドッキングさせた状態で（場合によってはポータブルディスプレイ４００もドッキングさせて）、患者の移動に合わせてキャリア２００を持ち運び、患者の生体情報をインプットボックス３００に記録する。そして、充電が必要になったときや、据置型として用いる場合などに、キャリア２００をベースユニット１００にドッキングさせる。
【００２１】
インプットボックス３００は、複数の端子３０１を有し、この端子３０１を介して心電電極、血圧測定用カフなどの種々の医療センサに接続可能となっている。また、インプットボックス３００は、記憶部を有し、端子３０１から入力したセンシング結果を基に計測した心電図、血圧、呼吸回数、脈拍などの生体情報を記憶できるようになっている。
【００２２】
本実施の形態では、インプットボックス３００は、キャリア２００とドッキングされるとキャリア２００から電源が供給されるので、患者の移送時などにも患者の生体情報をインプットボックス３００に記憶させることができるようになる。この結果、途切れのない生体情報を記録できる。
【００２３】
図５に示すように、ポータブルディスプレイ４００の背面には取っ手４０１が設けられており、ユーザは取っ手４０１を握ってポータブルディスプレイ４００を持ち運ぶことができる。
【００２４】
＜ポータブルディスプレイの構成＞
次に、図１及び図５を用いて、ポータブルディスプレイ４００の構成について詳しく説明する。
【００２５】
ポータブルディスプレイ４００は、板状のディスプレイ本体４１０の上部にインジケータ４２０が設けられている。
【００２６】
ディスプレイ本体４１０には、表示部４１１や、電源スイッチ等の操作ボタン４１２が設けられている。本実施の形態の場合、表示部４１１は、タッチパネル構成となっており、患者の生体情報を表示できると共に、タッチ操作によって表示の切り替えや各種情報の入力も行うことができる。
【００２７】
インジケータ４２０は、ディスプレイ本体４１０の上部において、ディスプレイ本体４１０の全幅をカバーするように配置されている。つまり、インジケータ４２０の長さは、ディスプレイ本体４１０の横幅に等しい。このように、インジケータ４２０をディスプレイ本体４１０の全幅をカバーするように配置したことにより、例えばディスプレイ本体４１０の中央上部のみにインジケータを配置した場合などと比較して、インジケータ４２０が発光したことがより分かり易くなる。また、インジケータ４２０がディスプレイ本体４１０の上部に一様に（平らに）存在することになるので、例えばディスプレイ本体４１０の中央上部のみにインジケータを配置した場合などと比較して、後述するガード４３１、４３２によって、ポータブルディスプレイ全体を一体的に保護し易くなる。
【００２８】
インジケータ４２０は、発光体（図示せず）と、この発光体を覆うケース４２１（図６）と、から構成されている。本実施の形態の場合、発光体として赤色のＬＥＤライトが用いられている。また、ケース４２１としてポリカーボネートからなる光拡散型のものが用いられている。なお、ケース４２１の材質はポリカーボネートに限らず、アクリルなどでもよい。要は、所望の強度を有し、かつ、光を透過する材質であればよい。インジケータ４２０は、患者の生体情報に基づいて患者の容体が危険になったことが検知された場合に、点灯又は点滅するようになっている。
【００２９】
かかる構成に加えて、ポータブルディスプレイ４００は、左右の両側がガード部材４３１、４３２によって覆われている。ガード部材４３１、４３２は、断面が凹状の部材であり、ディスプレイ本体４１０の両側で、ディスプレイ本体４１０及びインジケータ４２０に一体的に嵌め込まれて、接着されている。ガード部材４３１、４３２の材質は、例えばエラストマーである。ただし、ガード部材４３１、４３２の材質はこれに限らない。
【００３０】
ガード部材４３１、４３２は、ポータブルディスプレイ４００の任意の方向から当接する平面に対して、必ずガード部材４３１、４３２が当接し、ディスプレイ本体４１０及びインジケータ４２０の両方がこの当接する平面から引っ込む関係となるように形成されている。これにより、ポータブルディスプレイ４００は、どの方向から落下させたとしても、ガード部材４３１、４３２によってディスプレイ本体４１０及びインジケータ４２０を保護することができる。
【００３１】
また、ガード部材４３１、４３２には、インジケータ４２０を露出させるための窓４４０が形成されている。ここで、図１及び図５では、ガード部材４３２の窓は見えていないが、ガード部材４３２にもガード部材４３１と同様の窓４４０が形成されている。図６は、窓４４０を通る面で切った、ガード部材４３１、４３２の部分的断面図である。
【００３２】
このように、窓４４０を形成したことにより、ポータブルディスプレイ４００の側方からでもインジケータ４２０を見ることができるようになる。また、窓４４０を介してインジケータ４２０を見ると、ガード４３１、４３２が存在しなく単にインジケータ４２０を側方から見た場合と比較して、インジケータ４２０が点灯又は点滅していることをより認識し易くなる。つまり、窓４４０を設けたことにより、インジケータ４２０の表面は窓４４０の奥に引っ込んだ状態となるので、インジケータ４２０が点灯又は点滅していないときにはインジケータ４２０の表面は窓の奥で暗く見える。一方、インジケータ４２０が点灯又は点滅したときには、それとは相対的に非常に明るく見えるので、インジケータ４２０の点灯又は点滅を明確に認識できるようになる。そもそもインジケータ４２０の側面は、正面や背面と比較して面積が小さく、インジケータ４２０の点灯又は点滅を認識しにくいので、本実施の形態のように窓４４０を形成して認識し易くすることは非常に有効である。
【００３３】
ここで、ガード部材４３１、４３２の厚みは、例えば２ｍｍ〜５ｍｍ程度であることが好ましい。ガード部材４３１、４３２厚さが厚いほど、窓４４０の奥のインジケータ４２０表面は暗くなるので、上述したようなインジケータ４２０の点灯又は点滅をより認識し易くなる。また、ガード部材４３１、４３２厚さが厚いほど、ディスプレイ本体４１０に若干の凹凸があった場合でも、落下時にガード部材４３１、４３２によって保護できる凸部分の大きさをより増やすことができる。一方で、ガード部材４３１、４３２厚さが厚いほど、インジケータ４２０表面は窓４４０のより奥の方に引っ込んだ形になるので、インジケータ４２０側面の死角が大きくなってしまい、インジケータ４２０の点灯又は点滅を認識する上で逆効果になってしまう。従って、これらを考慮して、ガード部材４３１、４３２の厚みを選定すべきである。
【００３４】
さらに、本実施の形態では、インジケータ４２０が赤色で点灯又は点滅するのに対して、ガード部材４３１、４３２は青色とされている。ここで、インジケータ４２０は赤、橙、イエローなどの暖色系の色で発光し、ガード部材４３１、４３２は青、緑、紫などの寒色系の色とすることが好ましい。このようにすることで、インジケータ４２０の発光がより強調されるので、インジケータ４２０の点灯及び点滅をより認識させ易くできる。
【００３５】
以上説明したように、本実施の形態によれば、ディスプレイ本体４１０とインジケータ４２０を一体的にガードするガード部材４３１、４３２が設けられ、このガード部材４３１、４３２は、ポータブルディスプレイ４００の任意の方向から当接する平面に対して、必ずガード部材４３１、４３２が当接し、ディスプレイ本体４１０及びインジケータ４２０の両方が前記平面から引っ込む関係となるように形成されており、かつ、インジケータ４２０の側面に対応する位置にはインジケータ４２０を露出させるための窓４４０が形成されている。これにより、インジケータの死角を少なく抑えつつ、落下等による損傷を防止できる医療用ポータブルディスプレイ４００を実現できる。実際上、本実施の形態のポータブルディスプレイ４００は、全方位からインジケータ４２０を見ることができるようになる。
【００３６】
因みに、図２及び図３に示したように、実施の形態では、ポータブルディスプレイ４００が装脱自在に取り付けられるキャリア２００は、ポータブルディスプレイ４００よりも幅狭となっている。これにより、キャリア２００にポータブルディスプレイ４００をドッキングさせた状態においても、背面側からインジケータ４２０が見えやすくなる。
【００３７】
なお、上述の実施の形態では、図１及び図５に示されるように、ポータブルディスプレイ４００の左右両側を覆うガード部材４３１、４３２を設けたが、図７に示すように、ディスプレイ本体４１０の４隅のみにガード部材４５１、４５２、４５３、４５４を設けてもよい。要は、ガード部材は、ポータブルディスプレイの任意の方向から当接する平面に対して、必ずガード部材が当接し、ディスプレイ本体４１０及びインジケータ４２０の両方が前記平面から引っ込む関係となるように形成されていればよい。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３９】
本発明は、医療用ポータブルモニタシステムの用いられるポータブルディスプレイに適用し得る。
【符号の説明】
【００４０】
１  医療用ポータブルモニタシステム
１００  ベースユニット
２００  キャリア
２１０  差込口
３００  インプットボックス
４００  ポータブルディスプレイ
４１０  ディスプレイ本体
４１１  表示部
４１２  操作ボタン
４２０  インジケータ
４３１、４３２、４５１、４５２、４５３、４５４  ガード部材
４４０  窓
【図１】
2014161685.tif 000003
【図２】
2014161685.tif 000004
【図３】
2014161685.tif 000005
【図４】
2014161685.tif 000006
【図５】
2014161685.tif 000007
【図６】
2014161685.tif 000008
【図７】
2014161685.tif 000009